(57)【要約】【課題】支持シートの取り付けが簡便で、取り外しが可能であり、また、支持シートの張力を変更できる椅子の背もたれ構造を提供する。【解決手段】枠状の背フレーム７の前面にメッシュ状の織地または編地からなる支持シート６を張設した軽量でデザインの優れた背もたれが知られている。本発明は、周縁に通し部６ａを形成して締付材６ｂを通した支持シート６を、背フレーム７の外周部に形成した嵌合溝７ａへ嵌着させ、通し部６ａの挿出口６ｃから締付材６ｂの両端部を引き出して、絞って緊締して結束している。そして、緊締された締付材６ｂを背フレーム７の周囲中央寄りの複数の位置に設けた引掛部７ｃに、引っ張って係止している。さらに、その背部に背フレーム７とほぼ同じ枠状のカバー８を設けている。【選択図】  図２
2014097226.tif 000002
【特許請求の範囲】
【請求項１】
背フレームの前面にメッシュ状の織地または編地からなる支持シートを張設した椅子の背もたれにおいて、座受けに脱着可能に取り付けられる枠状の背フレームと、周縁に通し部を形成して締付材が通され該背フレームの外周部を包み込むように裏面側へ巻回し締付材を緊締して取り付けられる支持シートと、該背フレームの背部を覆う背フレームと同じ枠状のカバーとからなり、該緊締された該締付材は、該背フレームの締付材の位置する内周に複数設けた引掛部へ引張して係止されたことを特徴とする椅子の背もたれ構造。
【請求項２】
背フレームの下部側に、後方へ凹む段部を形成し、該段部の根本に下方が開口した嵌合溝を形成し、支持シートの締付材を背フレームの下部側においては該嵌合溝へ嵌合させたことを特徴とする請求項１に記載の椅子の背もたれ構造。
【請求項３】
前記背フレームの外周部には、前記締付材が嵌入する外周方向が開口した嵌合溝が形成され、裏面側の外周部の一部を切り欠いて切欠部を形成し、該切欠部に前記引掛部を設けたことを特徴とする請求項１に記載の椅子の背もたれ構造。
【発明の詳細な説明】
【技術分野】
【０００１】
本発明は、背フレームの前面にメッシュ状の織地または編地からなる支持シートを張設した椅子の背もたれ構造に関する。
【背景技術】
【０００２】
通気性がよく、軽量でデザインの優れた背もたれとして、メッシュ状の支持シートが背フレームに張設されたものが従来から使用されている。
支持シートは、枠状の背フレームの裏側に形成した環状溝に、外周縁を巻き込んで溶着したり、支持シートの周縁に固着した芯材を該環状溝へ嵌入させて固着している（特許文献１参照）。
【０００３】
また、支持シートを背フレームの外周部を包み込むように裏面側へ巻回し、支持シートの周縁部に添設した緊迫紐を絞り、さらに、過熱処理して支持シートを熱収縮させ、支持シートの周縁部を背フレームにタッカー止めした（特許文献２参照）ものもある。
【先行技術文献】
【特許文献】
【０００４】
【特許文献１】特開２００１−２７５７８０号公報
【特許文献２】特開２０１１−２５４８８１号公報
【発明の開示】
【発明が解決しようとする課題】
【０００５】
特許文献１の背もたれの構造は、支持シートの周縁を背フレームに溶着や芯材を介して固着しているので、支持シートが背フレームに強固に固着される。しかしながら、支持シートを背フレームへ固着するときは、支持シートに常に張力を加えた状態で行う必要があり、支持シートの張力が変動しやすく、所定の張力が得られない場合がある。また、このような場合や、長期間の使用で張力が低下した場合に、支持シートを取り替えることができないという難点がある。
【０００６】
一方、特許文献２の背もたれの構造は、背フレームに支持シートを緊迫紐で緊締し、過熱処理による熱収縮によって支持シートに張力を付与してタッカー止めしているので、支持シートを所定の張力にすることが簡便で、ばらつきなくできるが、支持シートは熱収縮性のある特殊な材料を用いる必要があり高価になるという難点がある。また、支持シートの張力を変更することはできない。
しかも、特許文献１，２など従来の支持シートは、所定の張力がなくなったり、損傷したり汚れたりしても交換できないといった問題がある。
【０００７】
そこで、本発明は、支持シートの取り付けが簡便で、取り外しが可能であり、また、支持シートの張力を変更できる椅子の背もたれ構造を提供することを目的としている。
【課題を解決するための手段】
【０００８】
上記の目的を解決するため、本発明の椅子の背もたれは、次のように構成した。すなわち、背フレームの前面にメッシュ状の織地または編地からなる支持シートを張設した椅子の背もたれにおいて、座受けに脱着可能に取り付けられる枠状の背フレームと、周縁に通し部を形成して締付材が通され該背フレームの外周部を包み込むように裏面側へ巻回し締付材を緊締して取り付けられる支持シートと、該背フレームの背部を覆う背フレームと同じ枠状のカバーとからなり、該緊締された該締付材は、該背フレームの締付材の位置する内周に複数設けた引掛部へ引張して係止されたことを特徴としている。
【０００９】
支持シートの周縁の通し部は、ミシンでかがり縫いによって行うのが一般的であり、締付材を絞って緊締するのも機械化するとよい。締付材は紐状のものであれば材質は繊維に限らず、合成樹脂や線材（金属）などでもよい。なお、締付材の緊締では、支持シートにある程度の張力を与えるようにする。
支持シートは、背フレームの外周部を包み込むように裏面側へ巻回し締付材を緊締して取り付けられる。背フレームの下部側は、請求項２に記載のように、後方へ凹む段部を形成し、この段部の根本に下方が開口した嵌合溝を形成して、締付材を嵌合させるとよい。  
【００１０】
背フレームは、合成樹脂製とし、裏面の外周部に締付材が嵌入する嵌合溝を形成する（請求項３）とよい。
引掛部は、背フレームと一体成型としてもよいし、別体としてビスで取り付けるようにしてもよい。また、引掛部を複数個の溝や鋸刃状として、取付位置を変えることができるようにして、支持シートの張力を調整できるようにしてもよい。背フレームに嵌合溝を形成した場合は、部分的に切り欠いて切欠部を形成して引掛部を設ける（請求項３）。
引掛部は、支持シートに張力をほぼ均等に与えられるように締付材の周囲で、背フレームの上下左右に設けるが、個数は、支持シートの材質や背フレームの大きさなどによって、適宜決めればよい。
【発明の効果】
【００１１】
本発明の椅子の背もたれ構造は、周縁に締付材を通した支持シートを、背フレームの外周部を包み込むように裏面側へ巻回し、締付材の両端部を絞って緊締して結束し、背フレームに設けた引掛部に緊締された締付材を引っ張って係止するようにしたので、支持シートの周縁を背フレームへ固着するという面倒な作業を必要とせず、支持シートを適宜の張力で簡便に取り付けることができ、しかも、支持シートを背もたれから取り外し、交換することができる。また、背フレームの背面をカバーで覆うようにしたので、支持シートの締付材や引掛部が覆われてデザイン的にもすっきりしたものとなった。
【図面の簡単な説明】
【００１２】
【図１】本発明の背もたれ構造を備えた椅子の実施の形態を示す全体斜視図である。
【図２】同、背もたれの部品の展開図で、背もたれの後方からみた斜視図である。
【図３】同、背フレームとカバーを背もたれの前方から見た斜視図である。
【図４】同、図２のＢ部の詳細斜視図である。
【図５】同、支持シートを取り付けた背フレームの正面図である。
【図６】同、図５のＣ部断面図である。
【図７】同、図５のＡ−Ａ視断面図である。
【発明を実施するための形態】
【００１３】
本発明の背もたれ構造の実施の形態を、図１〜図７を参照しながら説明する。
図１は、本発明の背もたれ構造を事務用の椅子に適用した実施の形態であり、椅子の後方から見た全体斜視図である。図２は、背もたれの構成部品の背面側から見た分解斜視図である。また、図３は、図２における背フレームとカバーを正面側から見た斜視図で、図４は、図２におけるＢ部の詳細図である。図５は、支持シートを取り付けた背フレームの正面図である。図６および図７は、図５のＣ部断面図およびＡ−Ａ視断面図である。
【００１４】
この椅子１は、図１に示すように、中央に立設された脚柱４ａの上端に座受け５が回動可能に設けられ、これに座２と、背もたれ３が取り付けられている。そして、脚柱４ａの下端にはキャスター４ｃを備えた５本の脚杆４ｂが設けられている。
背もたれ３は、図２、図３に示すように、座受け５に取り付けられている枠状の背フレーム７と、この前面に張設される支持シート６と、背フレーム７の背面を覆うカバー８とから構成されている。
【００１５】
支持シート６は、メッシュ状の織地または編地からなり、背フレーム７の外形より大きめに裁断され、周縁はかがり縫いが施され、通し部６ａが形成されている。そして、通し部６ａには締付材６ｂが通され、両端部は挿出口６ｃから外に出ている。
【００１６】
背フレーム７は、上部が緩やかに背面側へ湾曲した矩形状の枠で、合成樹脂製の一体成型されたものである。
背フレーム７の両側面の外周部には支持シート６の締付材６ｂが嵌入する嵌合溝７ａが形成されており、その外周部の背面側に切り欠かかれた状態の切欠部７ｂが３箇所設けられている。そして、切欠部７ｂには、締付材６ｂを係止するための引掛部７ｃが設けられている。
背フレーム７の上部側は嵌合溝は形成されておらず、引掛部７ｃが２箇所設けられている。また、背フレーム７の下部側（座２側）には段部７ｆが形成されており、ここに嵌合溝７ｇが形成され、その一部（中央部）に切欠部７ｂが形成され、引掛部７ｃが設けられている。
また、カバー８を取り付けるため、背フレーム７の四隅には、ピン孔７ｄが設けられ、側部には係止孔７ｅが設けられている。
【００１７】
カバー８は、背フレーム７とほぼ同じ枠状で、合成樹脂製の成形品である。
カバー８の外周部には背フレーム７側へ折れ曲がる周縁８ａが形成されている。また、カバー８の四隅には背フレーム７のピン孔７ｄと係合する係止ピン８ｂが設けられ、側の内側には背フレーム７の係止孔７ｅと係合する係止材８ｃが設けられている。
【００１８】
次に、上記のように構成された背もたれ３の組立について説明する。
支持シート６は、通し部６ａに締付材６ｂを通してその両端部を挿出口６ｃから外へ出した状態として、平坦な面に広げ、その上に背フレーム７を裏面を上にして置く。
次に、支持シート６の下端部に位置する締付材６ｂを背フレーム７の下部側の嵌合溝７ｇ内部に設けられている引掛部７ｃへ係止させ、支持シート６の周縁部を背フレーム７の外周部を包み込みながら嵌合溝７ａへ誘導させつつ締付材６ｂの両端部を持って絞り結束する。
締付材６ｂの緊締により支持シート６の周縁部の側部と下部は、背フレーム７の嵌合溝７ａ、７ｇに嵌入し、支持シート６には一定の張力が付与されて背フレーム７に保持された状態となる（図５参照）。なお、この作業は、専用機が知られており（例えば、Ｃ−ＧＥＸ）、締付材６ｂを所定の張力で引っ張り、支持シート６に一定の張力を均等に与えた状態で自動的に結束することができる。
【００１９】
次に、背フレーム７の上部および側部に位置する引掛部７ｃへ支持シート６の周縁の締付材６ｂの部分を引っ掛けて引き込み係止する。この作業は、この実施例では、上部で２箇所、左右でそれぞれ３箇所である。図４は、背フレーム７の側部における状態を示している。
【００２０】
次に、カバー８を背フレーム７の背面に取り付ける。
この作業は、背フレーム７の四隅の嵌着孔７ｄに、カバー８の係止ピン８ｂを合わせるとともに、背フレーム７の側部に設けられている係止溝７ｅに係止材８ｃを合わせ、カバー８を背フレーム７へ押し込むことにより嵌着する。これにより、背もたれ３が完成し、図５の状態となる。
支持シート６は、背フレーム７の下部では、段部７ｆまでで、背フレーム７の下端の外周部までは覆われていない。なお、図６はＣ部の詳細を示すものである。
【符号の説明】
【００２１】
１  椅子
２  座
３  背もたれ
４  脚
４ａ  脚柱
４ｂ  脚杆
４ｃ  キャスター
５  座受け
６  支持シート
６ａ  通し部
６ｂ  締付材
６ｃ  挿出口
７  背フレーム
７ａ  嵌合溝
７ｂ  切欠部
７ｃ  引掛部  
７ｄ  嵌着孔
７ｅ  係止溝
７ｆ  段部
７ｇ  嵌合溝
７ｈ  取付孔
８  カバー
８ａ  周縁
８ｂ  係止ピン
８ｃ  係止材
【図１】
2014097226.tif 000003
【図２】
2014097226.tif 000004
【図３】
2014097226.tif 000005
【図４】
2014097226.tif 000006
【図５】
2014097226.tif 000007
【図６】
2014097226.tif 000008
【図７】
2014097226.tif 000009